(57)【特許請求の範囲】
【請求項１】
1本のビードワイヤを環体状に従って巻き回して、前記ビードワイヤの芯を該環体状の軸方向へ複数列及び径方向へ複数段に積み重ねてなる環体のビードリングにおいて、
前記環体は、軸方向中心を境界としたときに、前記環体の周方向の少なくとも一部分において前記芯が多い方の半部における軸方向外側のゴムの軸方向厚さw1は、前記環体の少なくとも周方向及び径方向の一部分において、前記芯が少ない方の半部における軸方向外側のゴムの軸方向厚さw2より厚く、
前記環体の少なくとも周方向及び径方向の一部分において、
前記芯が多い半部における、軸方向外側のゴムの厚さw1(mm)は、前記ビードワイヤの径d(mm)の0.1〜2倍であり、
前記芯が少ない半部における、軸方向外側のゴムの厚さw2(mm)は、前記ビードワイヤの径d(mm)の0.1〜1倍であることを特徴とする、ビードリング。
【請求項２】
前記環体は、軸方向に2列の軸を有し、前記ビードワイヤの巻き始端及び巻き終端は、径方向最外側に位置する、請求項1に記載のビードリング。
【請求項３】
タイヤのビード部に請求項1又は2に記載のビードリングを備えていることを特徴とする、空気入りタイヤ。
【発明の詳細な説明】
【技術分野】
【０００１】
本発明は、ビードリング及び該ビードリングを有する空気入りタイヤ、特に、破壊強度に優れたビードリング及び該ビードリングを有する空気入りタイヤに関する。
【背景技術】
【０００２】
空気入りタイヤのビード部に埋設するビードリングには、1本のビードワイヤをゴム被覆したストランドを環体状に従って複数回巻き回してなる、いわゆるモノストランド構造のものがある(例えば、特許文献1)。
図1は、上記環体の軸方向の概略断面図である。このモノストランドビードは、図1に示すように、1本のビードワイヤ1をゴム被覆してなるストランドを環体の軸方向(図1のX軸の方向)に複数列及び径方向(図1のY軸の方向)へ複数段積み重ねてなる。
【０００３】
上記のようなビードリングは、複合材料の特性により、タイヤ内圧充填時にビードワイヤ両端部(巻き始端1sと巻き終端1e)は張力をほぼ負担せず、このため、両端部の断面内で応力の集中により、ビードリングの破壊が生じることがあることが知られている。
特に近年、環境への配慮から、できる限り資源を使わない軽量化したタイヤを開発することが望まれており、ことビードリングに関しては、上記環体の軸方向の列数及び径方向の段数を減らすことにより軽量化することが考えられる。しかし、列数及び段数の少ないビードリングは、さらに破壊強度が低下するという問題があり、このようなビードリングにおける破壊強度を確保することが望まれている。
【先行技術文献】
【特許文献】
【０００４】
【特許文献１】特開2003−25815号公報
【発明の概要】
【発明が解決しようとする課題】
【０００５】
本発明は、上記の問題を解決することを課題とするものであり、破壊強度に優れたビードリング及び該ビードリングをタイヤのビード部に埋設した空気入りタイヤを提供することを目的とする。
【課題を解決するための手段】
【０００６】
発明者らは、上記の課題を解決すべく、鋭意研究を重ねた。
その結果、ビードコアの破壊は、ビードリングをなす環体の軸方向中心を境界とする両側で芯数が非対称であることに起因することの知見を得た。すなわち、上述のようにビードリングを1本のビードワイヤを巻回して製造する場合には、周上又は径方向のいずれかの箇所で軸方向中心を境界とする半部同士でビードワイヤの芯数が異なるのが一般的である。例えば、図2に示すように、ビードワイヤの巻き始端と巻き終端とは、破壊強度を高めるためにオーバーラップさせるのが一般的であるが、この例の場合、軸方向いずれかの位置で図示のようなオーバーラップ部分を有することにより、軸方向中心を境界とする半部間で芯数が非対称となる箇所が生じる。また、ビードリング破壊の起点となり得る巻き始端やオーバーラップ部分（巻き終端）においては、張力負担が小さいことより、見た目の芯数の非対称に加えて、内圧時の張力可能なワイヤの配置も非対称となる。これらの非対称性により、図3に矢印で示すように、タイヤの内圧充填時にビードリングの軸方向両側におよそ均等にかかる径方向外側への力による、円形の矢印にて示す回転モーメントが生じる。これにより、ビードリングに捩れが生じ、特に芯数が少ない側の端部に隣接するワイヤ位置に応力が集中し、この芯を起点とする破壊が生じる。
【０００７】
そこで、発明者らは、軸方向中心を境界として張力負担可能な（端部になるワイヤを除いた）芯が多い方の半部にて、軸方向外側のゴムの少なくとも一部の軸方向厚さを厚くすることにより、上記モーメントを低減し、ビードリングの破壊強度を向上させることができることの新規知見を得た。
【０００８】
本発明は、上記知見に基づいてなされたものであり、その要旨構成は、以下の通りである。
(1)1本のビードワイヤを環体状に従って巻き回して、前記ビードワイヤの芯を該環体状の軸方向へ複数列及び径方向へ複数段に積み重ねてなる環体のビードリングにおいて、
前記環体は、軸方向中心を境界としたときに、前記環体の周方向の少なくとも一部分において前記芯が多い方の半部における軸方向外側のゴムの軸方向厚さw1は、前記環体の少なくとも周方向及び径方向の一部分において、前記芯が少ない方の半部における軸方向外側のゴムの軸方向厚さw2より厚く、
前記環体の少なくとも周方向及び径方向の一部分において、
前記芯が多い半部における、軸方向外側のゴムの厚さw1(mm)は、前記ビードワイヤの径d(mm)の0.1〜2倍であり、
前記芯が少ない半部における、軸方向外側のゴムの厚さw2(mm)は、前記ビードワイヤの径d(mm)の0.1〜1倍であることを特徴とする、ビードリング。
【０００９】
(2)前記環体は、軸方向に2列の軸を有し、前記ビードワイヤの巻き始端及び巻き終端は、径方向最外側に位置する、上記(1)に記載のビードリング。
【００１１】
(3)タイヤのビード部に上記(1)又は(2)に記載のビードリングを備えていることを特徴とする、空気入りタイヤ。
【発明の効果】
【００１２】
本発明によれば、破壊強度に優れたビードリング及び該ビードリングをタイヤのビード部に埋設した空気入りタイヤを提供することができる。
【図面の簡単な説明】
【００１３】
【図１】従来の空気入りタイヤに用いるビードコアについて説明するための断面図である。
【図２】オーバーラップ部分について説明するための図である。
【図３】ビードリングにかかるモーメントについて説明するための図である。
【図４】本発明のビードリングを示す断面図である。
【発明を実施するための形態】
【００１４】
図4は、本発明のビードリングを示す断面図である。
図4に示すように、本発明のビードリングは、ビードワイヤの芯を軸方向へ複数列及び径方向へ複数段に積み重ねてなる、環体の構造を有する。
図示例では、軸方向に2列の芯を有する環体構造であり、図示例では軸方向中心Oを境界とする一方の側に3段、他方の側に2段の芯が積み重なっている。ここで、軸方向中心とは、図4に示すように、環体の軸方向両外側の列の芯の外側ラインをそれぞれm1、m2とするときのm1、m2の中心線である。
図示例では、巻き始端1sと巻き終端1eとが径方向最外側に位置しており、また、図示例で、巻き終端1eは上述したオーバーラップ部分に対応している。
上記の構造のビードコアは、例えば、図4の矢印に示す順序で巻回することにより製造することができる。
図4に示す例では、この断面において、軸方向中心Oを境界として、ビードワイヤの芯数が巻き終端を除いて2つである半部での軸方向外側のゴム2の厚さw1は、ビードワイヤの芯数が巻き始端を除いて1つである半部での軸方向外側のゴム2の厚さw2より厚い。図示例では、ゴムの厚さw1は、径方向全体且つ周方向全周にわたって、他方の半部のゴムの外側厚さw2より厚くなっている。
このように、本発明のビードリングにあっては、図4に示すように、環体の周方向の少なくとも一部分においてビードワイヤの芯が多い方の軸方向半部の軸方向外側のゴム2の厚さは、環体の少なくとも周方向及び径方向の一部分において、ビードワイヤの芯が多い方の軸方向半部の軸方向外側のゴム2の厚さより厚いことが肝要である。
なお、「芯が多い方の半部」とは、巻き始端と巻き終端(オーバーラップ端)とを除いて芯が多い方の軸方向半部を意味する。具体的には、コア中心軸を境に、巻き始端、オーバーラップ部分（巻き終端）を除いたワイヤの断面積が大きい方を「芯が多い方の半部」とする。仮に、両半部のワイヤ断面積が等しい場合、オーバーラップ部分を含む半部を「芯が多い方の半部」とする。
以下、本発明の作用効果について説明する。
【００１５】
上述のようにタイヤの内圧充填時には、図3に示すように、ビードリングの軸方向両端に径方向外側への力が加わり、ビードワイヤの芯数が軸方向半部間で異なることによって、回転モーメントが生じる。
本発明のビードリングは、ビードワイヤの芯が多い方の半部にて、軸方向外側のゴムの少なくとも一部の軸方向厚さが厚いため、図4の湾曲した矢印で示すように、上記のモーメントを打ち消すモーメントが生じ、これによりビードリングの捩れが低減し、ビードワイヤへの負荷が軽減され、破壊強度が向上する。
【００１６】
具体的には、図4に示すように、ビードワイヤの芯が多い方の半部における、軸方向外側のゴムの厚さw1(mm)は、ビードワイヤの径d(mm)の0.3〜1倍とすることが好ましい。
一方で、このときビードワイヤの芯が少ない方の半部における、軸方向外側のゴムの厚さw2(mm)は、ビードワイヤの径d(mm)の0.1〜0.5倍とすることが好ましい。
ただし、常にw1>w2の関係を満たすものとする。
【００１７】
また、ビードワイヤの芯が多い方の半部における、軸方向外側のゴムの厚さは、ビードリングの周上全体で厚くしても良いし、あるいは、ビードリングの周上の一部にて厚くしてもよい。
ビードリングの周上全体で、ビードワイヤの芯が多い方の半部における、軸方向外側のゴムの厚さを他方より厚くすることで、タイヤのユニフォミティを悪化させることなく、ビードの破壊圧を向上させることができる。
また、ビードリングの周上の一部にてゴムを厚くする場合には、特に周上において、軸方向半部同士の芯数に最も差が生じる箇所のゴムを厚くすることが好ましい。
図4に示す例では、少なくとも巻き始端を中心として、周上の10mm〜200mmの範囲において、ゴムの厚さを厚くすることが好ましい。
10mm以下では十分な応力集中低減効果が得られず、一方で、200mm以上としても、それ以上の応力集中低減効果が期待されず、タイヤ重量が増加するのみとなるからである。
なお、ビードワイヤの周長とは、ビードワイヤの巻き始端から、該巻き始端に隣接する内周層上の、巻き始端に対応する点までの周回長さをいう。
【００１８】
また、ビードワイヤの芯が多い方の半部における、軸方向外側のゴムの厚さは、径方向全体で厚くしても良いし、あるいは、径方向の一部にて厚くしても良い。
【００１９】
上記のようなゴムの厚さは、ビードコアの片側側面にシート状のゴムを貼付してタイヤを埋蔵する、あるいは、ビードコアを適宜溝深さを調整した金型に入れて半加硫したものをタイヤに埋蔵することによって、他方の半部のゴムの厚さより厚くすることができる。また、同様の手法でビードコアの径方向あるいは周方向一部で適宜、ゴムの厚さを変えることもできる。
【００２０】
本発明のビードリングは、特に、図5に示すようなビードフィラを有しないタイヤか、あるいは、ビードフィラの小さい空気入りタイヤに適している。
これらのタイヤでは、ボディプライと折り返しプライが沿う領域が長く、コア横付近での上記径方向外側へのプライ張力が軸方向中心を境界とする両側でより均等となるからである。特にプライが沿う領域が20mm以上あることがより好ましい。ここで折り返しプライがボディプライに沿うとは、両プライ同士の距離が3mm以内の状態をいう。
この場合、上記小さいビードフィラは、ボディプライと折り返しプライの中に入り、かつ、両プライの沿う長さが20mm以上確保できる大きさのものをいう。
なお、本発明のビードリングは、ビードワイヤの芯数が多い側(ゴム厚さを厚くする側)をタイヤ幅方向内側となるようにタイヤに装着しても良いし、幅方向外側になるようにタイヤに装着しても良い。
【実施例】
【００２１】
本発明の効果を確かめるため、発明例1として、芯数が多い軸方向半部での軸方向外側のゴムの厚さを厚くしたビードリングを試作し、従来例として軸方向両側で軸方向外側のゴムの厚さが等しいビードリングを用意した。
これらをタイヤのビード部に埋設したタイヤを試作した。
各タイヤの諸元を表1に示してある。
なお、表1において、芯数は、オーバーラップ部分を含む断面で、巻き始端及び巻き終端を除いて数えている。
また、発明例1は、一方の半部での軸方向外側のゴムの厚さw1(mm)を、周方向全体且つ径方向全体にわたって一様に他方の半部での軸方向外側のゴムの厚さw2(mm)より厚くしている。
また、ビードワイヤの径d(mm)は、1.26mmのものを共通して用いた。
【００２２】
【表１】
0005759282.tif 000002
【００２３】
上記のタイヤに対して、破壊強度を評価する試験を行った。
タイヤサイズ155/65R13の上記各タイヤをリムサイズ4.5Jの規定リムにリム組みした後、水を注入し、水圧破壊テストを実施し、ビードコアが破壊したときの圧力を評価した。
評価結果は、従来例を100としたときの指数で表し、数値が大きい方が破壊強度に優れていることを示す。
評価結果を表2に示す。
【００２４】
【表２】
0005759282.tif 000003
【００２５】
表2に示すように、発明例にかかるタイヤは、ビードコアの破壊強度が従来例より高いことがわかる。
【００２６】
次に、ゴムの厚さを適切化する範囲を、周方向で好適化することの効果をみるため、発明例2にかかるビードリングを新たに試作し、これを発明例1と同様の構造の空気入りタイヤに埋設し、上記と同様に破壊強度を評価した。
発明例2の諸元は、評価結果と共に表3に示しており、表に示さない諸元については、発明例2は発明例1と同様である。
なお、表3の「周上」との項目は、巻き始端を中心として、周長のどれだけの部分でゴムを厚くするかを示すものである。
【００２７】
【表３】
0005759282.tif 000004
【００２８】
表3に示すように、ゴムの厚さを適切化する範囲を周方向で好適化した、発明例1に係るタイヤは、発明例2より破壊強度に優れていることがわかる。
【符号の説明】
【００２９】
1  ビードワイヤ(芯)
2  軸方向外側のゴム
3  カーカス
【図１】
0005759282.tif 000005
【図２】
0005759282.tif 000006
【図３】
0005759282.tif 000007
【図４】
0005759282.tif 000008